(57)【要約】【課題】部品点数を増加させることなく係合部分を解除する際の作業性を向上させることが可能なリモコンケースを提供する。【解決手段】このリモコンケースでは、フック部４は、上部ケース２に一体的に設けられるとともに、係合部５は、下部ケース３と一体的に設けられている。また、下部ケース３には、解除棒７が挿入される穴部３ｂを有する内面側に突出するボス部３ａが設けられている。フック部４は、上部ケース２と下部ケース３とが組み合わされた状態で、下部ケース３の底面方向に延びるとともに、下部ケース３の底面から約５ｍｍ離れた位置に配置されている。また、フック部４の先端部４ａには、解除棒７と係合する傾斜した底面部（当接部）４ｃを有する溝部４ｂが設けられている。解除棒７を、フック部４の先端部４ａを矢印Ｄ方向に押圧することにより、フック部４と係合部５との係合が解除される。【選択図】図１１
2007005701.tif 000002
【特許請求の範囲】
【請求項１】
フック部が設けられた第１ケース部と、前記フック部と係合する係合部が設けられた第２ケース部とを備えたリモコンケースにおいて、
前記フック部は、前記第１ケース部に一体的に設けられるとともに、前記係合部は、前記第２ケース部と一体的に設けられ、
前記第２ケース部には、係合状態を解除するための解除棒が挿入される穴部を有する内面側に突出する突出部がさらに設けられ、
前記フック部は、前記第１ケース部と前記第２ケース部とが組み合わされた状態で、前記第２ケース部の底面方向に延びるとともに、前記第２ケース部の底面から所定の距離離れた位置に配置され、かつ、前記解除棒により前記フック部の延びる方向に対して実質的に平行に押圧されることにより前記フック部の係合を解除する方向の分力を発生させる形状を有する当接部を含み、
前記フック部の先端部には、前記解除棒と係合する溝部が設けられ、
前記フック部の先端部に設けられた前記溝部の内面には、前記解除棒の延びる方向に対して、前記フック部と前記係合部との係合が解除される方向側に所定の角度傾いた前記当接部が設けられ、
前記解除棒を、前記穴部を有する前記突出部に挿入することにより、前記フック部の延びる方向に対して実質的に平行な方向に案内するとともに、前記解除棒により、前記フック部の延びる方向に対して実質的に平行な方向から前記フック部の先端部の前記当接部を押圧することにより、前記フック部と前記係合部との係合が解除される、リモコンケース。
【請求項２】
フック部が一体的に設けられた第１ケース部と、
前記フック部と係合する係合部が一体的に設けられるとともに、係合状態を解除するための解除棒が挿入される穴部が設けられた第２ケース部とを備え、
前記フック部は、前記第１ケース部と前記第２ケース部とが組み合わされた状態で、前記第２ケース部の底面方向に向かって延びるとともに、前記第２ケース部の底面から所定の距離離れた位置に配置され、かつ、前記解除棒により前記フック部の延びる方向に対して実質的に平行に押圧されることにより前記フック部の係合を解除する方向の分力を発生させる形状を有する当接部を含み、
前記解除棒を、前記フック部の延びる方向に対して実質的に平行に前記穴部に挿入するとともに、前記解除棒により、前記フック部の延びる方向に対して実質的に平行な方向から前記フック部の先端部の前記当接部を押圧することにより、前記フック部と前記係合部との係合が解除される、リモコンケース。
【請求項３】
前記フック部の先端部には、前記解除棒と係合する溝部が設けられている、請求項２に記載のリモコンケース。
【請求項４】
前記フック部の先端部に設けられた前記溝部の内面には、前記解除棒の延びる方向に対して、前記フック部と前記係合部との係合が解除される方向側に所定の角度傾いた前記当接部が設けられている、請求項３に記載のリモコンケース。
【請求項５】
前記第２ケース部には、前記穴部を有する内面側に突出する突出部が設けられ、
前記解除棒は、前記穴部を有する前記突出部に挿入されることにより、前記フック部の延びる方向に対して実質的に平行な方向に案内される、請求項４に記載のリモコンケース。
【請求項６】
フック部が一体的に設けられた第１ケース部と、
前記フック部と係合する係合部が一体的に設けられるとともに、係合状態を解除するた
めの解除棒が挿入される穴部が設けられた第２ケース部とを備え、
前記フック部は、前記第１ケース部と前記第２ケース部とが組み合わされた状態で、前記第２ケース部の底面方向に向かって延びるとともに、前記第２ケース部の底面から所定の距離離れた位置に配置され、
前記フック部の先端部には、前記解除棒と係合する溝部が設けられている、リモコンケース。
【請求項７】
前記フック部の先端部に設けられた前記溝部には、前記解除棒が、前記フック部の延びる方向に対して実質的に平行に穴部に挿入された際に、前記解除棒の先端部と当接する第１当接部と、前記フック部と前記係合部との係合が解除される方向に、前記解除棒の先端部の側面と当接する第２当接部とが設けられ、
前記解除棒を、前記溝部の前記第１当接部と当接させた後、前記溝部の前記第２当接部を前記フック部の延びる方向に対して実質的に直交する方向に押圧することにより、前記フック部と前記係合部との係合が解除される、請求項６に記載のリモコンケース。
【発明の詳細な説明】
【技術分野】
【０００１】
この発明は、リモコンケースに関し、特に、フック部と係合部とを備えたリモコンケースに関する。
【背景技術】
【０００２】
従来、弾力性を有するフック部を係合部に係合させて組み立てられた筐体において、筐体内部に配置され、溝やスリットを介して外部から視認することができない係合部分にドライバなどの簡易な器具を挿入することにより、係合状態を解除することが可能な構造が知られている。（たとえば、特許文献１および２参照）。
【０００３】
上記特許文献１には、上ケースの内縁部に形成されたフック部が、下ケースの内縁部の凹部に弾力的に係合することにより、上ケースと下ケースとが組み立てられるリモコンケースにおいて、上ケースと下ケースとの接合部であるリモコンケースの側面部に形成された溝に、ドライバなどの器具を挿入することによって、リモコンケースを分解することが可能なリモコンケースの構造が記載されている。このリモコンケースでは、ドライバなどの器具によって上記溝部を介してフック部の根元部をフック部が延びる方向に対して直交する方向から押すことによって、フック部と凹部との係合を解除し、これによって、リモコンケースを分解する。
【０００４】
また、上記特許文献２には、車載用エアコンなどの操作スイッチケースに別体で形成された嵌合部が取り付けられており、意匠パネルに設けられたフック部が、嵌合部の係合部に挿入されることにより、意匠パネルが操作スイッチケースの前面に取り付けられるパネルの取り付け構造が記載されている。このパネルの取り付け構造では、意匠パネルに設けられたスリットに、簡単な構成の取り外しツールを挿入することにより、嵌合部の係合部が意匠パネルのフック部から解除されて、意匠パネルを取り外すことができる。
【０００５】
また、従来、フックを用いて筐体本体にカバーを取り外し可能に係合させる電子機器の筐体構造が知られている（たとえば、特許文献３参照）。
【０００６】
図２２は、上記特許文献３に開示された従来の電子機器の筐体の全体斜視図である。図２３および図２４は、図２２の２００−２００線に沿った断面図である。まず、図２２を参照して、従来知られている電子機器の筐体の構造について説明する。
【０００７】
図２２に示すように、従来の電子機器の筐体は、筐体本体１０１と、筐体本体１０１の上部開口を開閉するために着脱可能に取り付けられる部分カバー１０２とを備えている。また、筐体本体１０１には、電池１０３を収納するための電池収納用凹部１０４が設けられている。また、部分カバー１０２には、下端部前面に突出したフック１０５ａを有する係合部１０５が下方に延びるように設けられているとともに、係合部１０５の両側方には、壁１０４ａの上端縁に当接して部分カバー１０２の位置決めを行う突出部１０６が設けられている。また、筐体本体１０１側の電池収納用凹部１０４を構成する板部材の一方の壁１０４ａには、部分カバー１０２の係合部１０５のフック１０５ａと係合する係合穴１０４ｂが形成されている。また、部分カバー１０２には、筐体本体１０１と部分カバー１０２とが組み立てられた状態で、電池収納用凹部１０４が外部から見えないようにするために、電池収納用凹部１０４を覆う電池蓋１０７が取り付けられる。
【０００８】
次に、図２２〜図２４を参照して、筐体本体１０１と部分カバー１０２との係合状態を解除する動作について説明する。まず、図２２に示した電池蓋１０７を取り外す。この状
態では、図２３に示すように、部分カバー１０２に設けられた係合部１０５のフック１０５ａと、筐体本体１０１の電池収納用凹部１０４に設けられた係合穴１０４ｂとが係合し、係合穴１０４ｂからフック１０５ａが露出した状態にある。次に、図２３に示すように、電池収納用凹部１０４に設けられた係合穴１０４ｂから露出しているフック１０５ａを、治具１０８によって、係合部１０５の延びる方向に対してほぼ直交する横方向から筐体本体１０１の内部に押し込む。これにより、部分カバー１０２の係合部１０５のフック１０５ａと筐体本体１０１の係合穴１０４ｂとの係合が解除される。そして、この状態で、部分カバー１０２を手で上部に持ち上げることによって、筐体本体１０１と部分カバー１０２とが分解される。
【特許文献１】特開平９−１９９８６９号公報
【特許文献２】特開２０００−８２３５１号公報
【特許文献３】特開平７−１２２８６０号公報
【発明の開示】
【発明が解決しようとする課題】
【０００９】
しかしながら、図２３に示す従来知られている電子機器では、部分カバー１０２のフック１０５ａと筐体本体１０１の電池収納用凹部１０４に設けられた係合穴１０４ｂとの係合部分が、電池蓋１０７によって覆われているので、筐体本体１０１と部分カバー１０２とを分解する際に、電池蓋１０７を取り外す必要があるという不都合がある。このため、電池蓋１０７を取り外す作業が増加するので、部分カバー１０２の取り外し作業の作業性を向上させるのが困難であるという問題点がある。また、治具１０８により係合部１０５の延びる方向に対してほぼ直交する横方向からフック１０５ａを押圧して筐体本体１０１の内部に押し込むことより、部分カバー１０２と筐体本体１０１との係合状態が解除されるので、フック１０５ａには部分カバー１０２を筐体本体１０１から分離する方向である上方向には押圧力は働かない。このため、部分カバー１０２と筐体本体１０１とを分解するためには、治具１０８による横方向の押圧力により係合状態が解除された状態を維持しながら、部分カバー１０２を上部に持ち上げる必要があるので、この点でも部分カバー１０２の取り外し作業の作業性を向上させるのが困難であるという問題点がある。
【００１０】
また、上記特許文献１に記載されたリモコンケースでは、ドライバなどの器具によってフック部の根元部をフック部の延びる方向に対して直交する方向から押す方法であるため、フック部の先端部と凹部との係合を解除するほどフック部を撓ませるのが困難であると考えられる。また、たとえ、フック部の根元部を押圧して撓ませることが可能であったとしても、フック部の先端部を押して係合を解除する場合に比べて、フック部が凹部から解除される位置まで押し込むための押圧力が大きくなる。これらの結果、フック部の係合を解除する際の作業性を向上させるのが困難であるという問題点がある。
【００１１】
また、上記特許文献２に記載されたパネルの取り付け構造では、車載用エアコンなどの操作スイッチケースと意匠パネルとを組み立てる際に、意匠パネルのフック部と係合する嵌合部を、別体として操作スイッチケースに取り付けているので、部品点数が増加するという問題点がある。
【００１２】
この発明は、上記のような課題を解決するためになされたものであり、この発明の１つの目的は、部品点数を増加させることなく係合部分を解除する際の作業性を向上させることが可能なリモコンケースを提供することである。
【課題を解決するための手段】
【００１３】
この発明の第１の局面におけるリモコンケースは、フック部が設けられた第１ケース部と、フック部と係合する係合部が設けられた第２ケース部とを備えたリモコンケースにお
いて、フック部は、第１ケース部に一体的に設けられるとともに、係合部は、第２ケース部と一体的に設けられ、第２ケース部には、係合状態を解除するための解除棒が挿入される穴部を有する内面側に突出する突出部がさらに設けられ、フック部は、第１ケース部と第２ケース部とが組み合わされた状態で、第２ケース部の底面方向に延びるとともに、第２ケース部の底面から所定の距離離れた位置に配置され、かつ、解除棒によりフック部の延びる方向に対して実質的に平行に押圧されることによりフック部の係合を解除する方向の分力を発生させる形状を有する当接部を含み、フック部の先端部には、解除棒と係合する溝部が設けられ、フック部の先端部に設けられた溝部の内面には、解除棒の延びる方向に対して、フック部と係合部との係合が解除される方向側に所定の角度傾いた当接部が設けられ、解除棒を、穴部を有する突出部に挿入することにより、フック部の延びる方向に対して実質的に平行な方向に案内するとともに、解除棒により、フック部の延びる方向に対して実質的に平行な方向からフック部の先端部の当接部を押圧することにより、フック部と係合部との係合が解除される。
【００１４】
この第１の局面によるリモコンケースでは、上記のように、フック部を第１ケース部に一体的に設け、フック部と係合する係合部を、第２ケース部に一体的に設けることにより、フック部および係合部をリモコンケースに設けたとしても、部品点数が増加するのを抑制することができる。また、フック部を、第１ケース部と第２ケース部とが組み合わされた状態で、第２ケース部の底面に向かって延びるとともに、第２ケース部の底面から所定の距離離れた位置に配置することにより、フック部はリモコンケースの内部に配置されるので、フック部がリモコンケースの外部側に露出するのを抑制することができる。このため、フック部をカバーなどで覆う必要がないので、この点でも、部品点数の増加を抑制することができる。また、フック部と係合部との係合を解除する際に、カバーなどを取り外す必要がないので、カバーなどを取り外す必要がある場合に比べて、作業性を向上させることができる。また、解除棒を、フック部の先端部を押圧するように構成することにより、フック部の根元部を押圧する場合に比べて、小さい力でフック部を大きく撓ませることができるので、フック部と係合部との係合を容易に解除することができる。その結果、フック部と係合部との係合を解除する際の作業性を向上させることができる。また、フック部の先端部に、解除棒と係合する溝部を設けることにより、フック部が第２ケース部と所定の距離離れた位置に配置された場合でも、解除棒を、フック部の溝部に嵌め込んでフック部を確実に押圧することができるので、フック部と係合部との係合を確実に解除することができる。また、フック部の先端部に設けられた溝部の内面に、フック部の延びる方向に対して、フック部と係合部との係合が解除される方向側に所定の角度傾いた当接部を設けることにより、解除棒の押圧力は、当接部の傾斜部分により、第１ケース部と第２ケース部とが分離する方向である上部方向（垂直方向）の押圧力と、フック部と係合部との係合が解除される方向（水平方向）の押圧力とに容易に分解されるので、解除棒を、フック部の延びる方向に対して実質的に平行に挿入してフック部を押圧するだけで、フック部と係合部との係合が解除されるとともに、第１ケース部と第２ケース部とが分離される。これにより、解除棒によりフック部の延びる方向に対して実質的に平行な方向にフック部を押圧するだけで、第１ケース部と第２ケース部とを容易に分解することができる。また、第２ケース部に、穴部を有する内面側に突出する突出部を設け、解除棒を、穴部を有する突出部に挿入することにより、フック部の延びる方向に対して実質的に平行な方向に案内されるように構成することにより、解除棒の挿入方向を、フック部の延びる方向に対して実質的に平行な方向に規制することができるので、解除棒を、より容易にフック部の先端部と当接させて、フック部の先端部を押圧することができる。また、解除棒の押圧方向を、フック部の延びる方向に対して実質的に平行な方向に規制することができるので、解除棒によってフック部の先端部を押圧する際に、解除棒の押圧方向がずれるのを抑制することができる。このため、解除棒の押圧方向は、フック部の溝部の傾斜部分によって正確に第１ケース部と第２ケース部とが分離する方向である上部方向（垂直方向）と、フック部と係合部との係合が解除される方向（水平方向）とに分解されるので、第１ケース部と第
２ケース部とを容易に分解することができる。
【００１５】
この発明の第２の局面におけるリモコンケースは、フック部が一体的に設けられた第１ケース部と、フック部と係合する係合部が一体的に設けられるとともに、係合状態を解除するための解除棒が挿入される穴部が設けられた第２ケース部とを備え、フック部は、第１ケース部と第２ケース部とが組み合わされた状態で、第２ケース部の底面方向に向かって延びるとともに、第２ケース部の底面から所定の距離離れた位置に配置され、かつ、解除棒によりフック部の延びる方向に対して実質的に平行に押圧されることによりフック部の係合を解除する方向の分力を発生させる形状を有する当接部を含み、解除棒を、フック部の延びる方向に対して実質的に平行に穴部に挿入するとともに、解除棒により、フック部の延びる方向に対して実質的に平行な方向からフック部の先端部を押圧することにより、フック部と係合部との係合が解除される。
【００１６】
この発明の第２の局面におけるリモコンケースでは、上記のように、フック部を第１ケース部に一体的に設け、フック部と係合する係合部を、第２ケース部に一体的に設けることにより、フック部および係合部をリモコンケースに設けたとしても、部品点数が増加するのを抑制することができる。また、フック部を、第１ケース部と第２ケース部とが組み合わされた状態で、第２ケース部の底面に向かって延びるとともに、第２ケース部の底面から所定の距離離れた位置に配置することにより、フック部はリモコンケースの内部に配置されるので、フック部がリモコンケースの外部側に露出するのを抑制することができる。このため、フック部をカバーなどで覆う必要がないので、この点でも、部品点数の増加を抑制することができる。また、フック部と係合部との係合を解除する際に、カバーなどを取り外す必要がないので、カバーなどを取り外す必要がある場合に比べて、作業性を向上させることができる。また、フック部に、解除棒によりフック部の延びる方向に対して実質的に平行に押圧された際に、フック部の係合を解除する方向の分力を発生させる形状を有する当接部を設け、解除棒を、フック部の延びる方向に対して実質的に平行に穴部に挿入するとともに、解除棒により、フック部の延びる方向に対して実質的に平行な方向からフック部を押圧することによって、フック部を、第１ケース部と第２ケース部とが分離する方向である上部方向（垂直方向）のみならず、フック部と係合部との係合が解除される方向（水平方向）にも押圧することができるので、解除棒を、フック部の延びる方向に対して実質的に平行に挿入してフック部を押圧するだけで、フック部と係合部との係合が解除されるとともに、第１ケース部と第２ケース部とが分離される。これにより、解除棒によりフック部の延びる方向に対して実質的に平行な方向にフック部を押圧するだけで、第１ケース部と第２ケース部とを分解することができる。また、解除棒を、フック部の先端部を押圧するように構成することにより、フック部の根元部を押圧する場合に比べて、小さい力でフック部を大きく撓ませることができるので、フック部と係合部との係合を容易に解除することができる。その結果、フック部と係合部との係合を解除する際の作業性を向上させることができる。
【００１７】
上記第２の局面によるリモコンケースにおいて、好ましくは、フック部の先端部には、解除棒と係合する溝部が設けられている。このように構成すれば、フック部が第２ケース部と所定の距離離れた位置に配置された場合でも、解除棒を、フック部の溝部に嵌め込んでフック部を確実に押圧することができるので、フック部と係合部との係合を確実に解除することができる。
【００１８】
上記第２の局面によるリモコンケースにおいて、好ましくは、フック部の先端部に設けられた溝部の内面には、解除棒の延びる方向に対して、フック部と係合部との係合が解除される方向側に所定の角度傾いた当接部が設けられている。このように構成すれば、解除棒の押圧力は、当接部の傾斜部分により、第１ケース部と第２ケース部とが分離する方向である上部方向（垂直方向）の押圧力と、フック部と係合部との係合が解除される方向（
水平方向）の押圧力とに容易に分解されるので、解除棒を、フック部の延びる方向に対して実質的に平行に挿入してフック部を押圧するだけで、第１ケース部と第２ケース部とを容易に分解することができる。
【００１９】
上記第２の局面によるリモコンケースにおいて、好ましくは、第２ケース部には、穴部を有する内面側に突出する突出部が設けられ、解除棒は、穴部を有する突出部に挿入されることにより、フック部の延びる方向に対して実質的に平行な方向に案内される。このように構成すれば、解除棒の挿入方向を、フック部の延びる方向に対して実質的に平行な方向に規制することができるので、解除棒を、より容易にフック部の先端部の当接部と当接させて、フック部の先端部の当接部を押圧することができる。また、解除棒の押圧方向を、フック部の延びる方向に対して実質的に平行な方向に規制することができるので、解除棒によってフック部の先端部を押圧する際に、解除棒の押圧方向がずれるのを抑制することができる。このため、解除棒の押圧方向は、フック部の溝部の傾斜部分によって正確に第１ケース部と第２ケース部とが分離する方向である上部方向（垂直方向）と、フック部と係合部との係合が解除される方向（水平方向）とに分解されるので、第１ケース部と第２ケース部とを容易に分解することができる。
【００２０】
この発明の第３の局面におけるリモコンケースは、フック部が一体的に設けられた第１ケース部と、フック部と係合する係合部が一体的に設けられるとともに、係合状態を解除するための解除棒が挿入される穴部が設けられた第２ケース部とを備え、フック部は、第１ケース部と第２ケース部とが組み合わされた状態で、第２ケース部の底面方向に向かって延びるとともに、第２ケース部の底面から所定の距離離れた位置に配置され、フック部の先端部には、解除棒と係合する溝部が設けられている。
【００２１】
この発明の第３の局面におけるリモコンケースでは、上記のように、フック部を、第１ケース部と第２ケース部とが組み合わされた状態で、第２ケース部の底面方向に向かって延びるとともに、第２ケース部の底面から所定の距離離れた位置に配置し、フック部の先端部に、解除棒と係合する溝部を設けることにより、フック部が第２ケース部と所定の距離離れている場合にも、解除棒を、フック部の溝部に嵌め込んでフック部を確実に押圧することができるので、フック部と係合部との係合を確実に解除することができる。
【００２２】
上記第３の局面によるリモコンケースにおいて、好ましくは、フック部の先端部に設けられた溝部には、解除棒が、フック部の延びる方向に対して実質的に平行に穴部に挿入された際に、解除棒の先端部と当接する第１当接部と、フック部と係合部との係合が解除される方向に、解除棒の先端部の側面と当接する第２当接部とが設けられ、解除棒を、溝部の第１当接部と当接させた後、溝部の第２当接部をフック部の延びる方向に対して実質的に直交する方向に押圧することにより、フック部と係合部との係合が解除される。このように構成すれば、解除棒により第２当接部を押圧することによりフック部と係合部との係合を解除した状態で、解除棒により第１当接部を押圧することにより、第１ケース部を第２ケース部から分離する方向である上部方向に押圧することができるので、第１ケース部と第２ケース部とを容易に分解することができる。
【発明を実施するための最良の形態】
【００２３】
以下、本発明を具体化した実施形態を図面に基づいて説明する。
【００２４】
（第１実施形態）
図１は、本発明の第１実施形態によるリモコンケースの全体斜視図である。図２は、図１に示した本発明の第１実施形態によるリモコンケースの分解斜視図である。図３は、図２のＡ部の拡大斜視図である。図４は、図１に示した本発明の第１実施形態によるリモコンケースの平面図である。図５は、図４の３００−３００線に沿った断面図である。図６
〜図９は、図１に示した本発明の第１実施形態によるリモコンケースの詳細構造を説明するための図である。まず、図１〜図９を参照して、本発明の第１実施形態によるリモコンケースの構造について説明する。
【００２５】
本発明の第１実施形態によるリモコンケースは、図１に示すように、電源ボタン、音量ボタンおよびチャンネルボタンなどからなるボタン部１が設けられた上部ケース２と、下部ケース３とを備えている。なお、上部ケース２および下部ケース３は、それぞれ、本発明の「第１ケース部」および「第２ケース部」の一例である。また、図２および図４に示すように、上部ケース２には、上部ケース２の内部側のＸ方向（図２および図４参照）の両側端部近傍に、それぞれ、３個のフック部４が一体的に設けられている。また、下部ケース３には、図２に示すように、上部ケース２に設けられたフック部４と係合する係合部５が一体的に設けられている。また、下部ケース３には、別体で設けられた電池カバー６が取り付けられている。
【００２６】
ここで、第１実施形態では、図２に示すように、下部ケース３には、上部ケース２に設けられたフック部４と対応する位置に、それぞれ、下部ケース３の内部側に突出するボス部３ａが設けられている。なお、ボス部３ａは、本発明の「突出部」の一例である。また、ボス部３ａには、図３に示すように、後述する解除棒７が挿入される穴部３ｂが設けられている。また、穴部３ｂは、図６に示すように、解除棒７を挿入するため、下部ケース３の外面側に露出している。
【００２７】
また、上部ケース２のフック部４は、図５に示すように、下部ケース３の係合部５と係合することにより、リモコンケースが組み立てられている。
【００２８】
ここで、第１実施形態では、図５に示すように、上部ケース２に設けられたフック部４は、上部ケース２と下部ケース３とが組み立てられた状態で、下部ケース３の底面方向に延びるように配置されているとともに、フック部４の先端部４ａと下部ケース３の底面部３ｃとは、Ａ１の距離である約５ｍｍの距離が隔てられている。また、フック部４の先端部４ａには、図７に示すように、溝部４ｂが設けられている。この溝部４ｂは、図８に示すように、解除棒７を溝部４ｂに嵌め込み可能なように、円柱状の解除棒７の外径Ｃ１よりも少し大きい幅Ｂ１を有する。また、溝部４ｂの底面部（当接部）４ｃは、図９に示すように、フック部４の延びる方向に対して所定の角度θ傾斜している。
【００２９】
図１０〜図１３は、図１に示した本発明の第１実施形態によるリモコンケースの分解方法を説明するための断面図である。次に、図９〜図１３を参照して、第１実施形態によるリモコンケースの上部ケース２と下部ケース３との分解方法について説明する。まず、図１０に示すように、解除棒７を、下部ケース３の外面側から穴部３ｂに挿入する。穴部３ｂは、下部ケース３に設けられた内部側に突出するボス部３ａに設けられているため、解除棒７は、穴部３ｂに案内されて、フック部４が延びる方向と平行方向である矢印Ｄ方向にのみ挿入される。そして、解除棒７の先端部は、フック部４の溝部４ｂに嵌め込まれるとともに、溝部４ｂの底面部４ｃと当接する。次に、図１１に示すように、解除棒７をさらに矢印Ｄ方向に挿入すると、解除棒７によってフック部４の先端部４ａが矢印Ｄ方向に押圧される。
【００３０】
ここで、第１実施形態では、溝部４ｂの底面部４ｃは傾斜しているため、解除棒７によるフック部４の延びる方向と平行方向である矢印Ｄ方向の押圧力は、溝部４ｂの傾斜した底面部（当接部）４ｃによって、フック部４の延びる方向と平行方向であるＤ方向と同じ方向である矢印Ｄ１方向の押圧力と、フック部４と係合部５との係合が解除される方向である矢印Ｅ１方向の押圧力とに分解される。なお、矢印Ｄ１方向は、上部ケース２と下部ケース３とが分離する方向でもある。そして、フック部４の延びる方向と平行方向である
矢印Ｄ１方向に押圧されるとともに、フック部４と係合部５との係合が解除される方向である矢印Ｅ１方向にも押圧される（図９参照）。
【００３１】
そして、図１１に示すように、解除棒７を挿入することにより矢印Ｄ方向に発生した押圧力の矢印Ｅ１方向の分力により、フック部４は、矢印Ｅ１方向に撓む。さらに、解除棒７を矢印Ｄ方向に挿入すると、図１２に示すように、フック部４はさらに矢印Ｅ１方向に撓み、上部ケース２のフック部４と下部ケース３の係合部５との係合が解除される。この状態で、さらに解除棒７を矢印Ｄ方向に挿入すると、図１３に示すように、上部ケース２は、下部ケース３と分離する方向である矢印Ｄ１方向に解除棒７によって押圧され、上部ケース２と下部ケース３とが分解される。
【００３２】
第１実施形態では、上記のように、フック部４を上部ケース２に一体的に設け、フック部４と係合する係合部５を、下部ケース３に一体的に設けることにより、フック部４および係合部５をリモコンケースに設けたとしても、部品点数が増加するのを抑制することができる。
【００３３】
また、第１実施形態では、フック部４を、上部ケース２と下部ケース３とが組み合わされた状態で、下部ケース３の底面部３ｃに向かって延びるとともに、下部ケース３の底面部３ｃから約５ｍｍ離れた位置に配置することにより、フック部４はリモコンケースの内部に配置されるので、フック部４がリモコンケースの外部側に露出するのを抑制することができる。このため、フック部４をカバーなどで覆う必要がないので、この点でも、部品点数の増加を抑制することができる。
【００３４】
また、第１実施形態では、フック部４と係合部５との係合を解除する際に、カバーなどを取り外す必要がないので、カバーなどを取り外す必要がある場合に比べて、作業性を向上させることができる。
【００３５】
また、第１実施形態では、解除棒７を、フック部４の先端部４ａを押圧するように構成することにより、フック部４の根元部を押圧する場合に比べて、小さい力でフック部４を大きく撓ませることができるので、フック部４と係合部５との係合を容易に解除することができる。
【００３６】
また、第１実施形態では、フック部４の先端部４ａに、解除棒７と係合する溝部４ｂを設けることにより、フック部４が下部ケース３と約５ｍｍ離れた位置に配置された場合でも、解除棒７を、フック部４の溝部４ｂに嵌め込んでフック部４を確実に押圧することができるので、フック部４と係合部５との係合を確実に解除することができる。
【００３７】
また、第１実施形態では、フック部４の先端部４ａに設けられた溝部４ｂの内面に、フック部４の延びる方向に対して、フック部４と係合部５との係合が解除される方向側に所定の角度θ傾いた当接部４ｃを設けることにより、解除棒７の押圧力は、溝部４ｂの当接部４ｃの傾斜部分により、上部ケース２と下部ケース３とが分離する方向である矢印Ｄ１方向の押圧力と、フック部４と係合部５との係合が解除される方向である矢印Ｅ１方向の押圧力とに分解されるので、解除棒７を、フック部４の延びる方向に対して平行に挿入してフック部４を押圧するだけで、上部ケース２と下部ケース３とを分解することができる。
【００３８】
また、第１実施形態では、下部ケース３に、穴部３ｂを有する内面側に突出するボス部３ａを設け、解除棒７を、穴部３ｂを有するボス部３ａに挿入することにより、フック部４の延びる方向に対して平行な方向に案内されるように構成することにより、解除棒７の挿入方向を、フック部４の延びる方向に対して平行な方向に規制することができるので、
解除棒７を、より容易にフック部４の先端部４ａと当接させて、フック部４の先端部４ａを押圧することができる。
【００３９】
また、第１実施形態では、解除棒７の押圧方向を、フック部４の延びる方向に対して平行な方向に規制することができるので、解除棒７によってフック部４の先端部４ａを押圧する際に、解除棒７の押圧方向がずれるのを抑制することができる。このため、解除棒７の押圧方向は、フック部４の溝部４ｂの傾斜部分によって正確に上部ケース２と下部ケース３とが分離する方向である上部方向と、フック部４と係合部５との係合が解除される方向とに分解されるので、上部ケース２と下部ケース３とを容易に分解することができる。
【００４０】
（第２実施形態）
図１４は、本発明の第２実施形態によるリモコンケースの分解斜視図である。図１５は、図１４のＢ部の拡大斜視図である。図１６は、図４に示した３００−３００線に沿った位置と同じ位置での第２実施形態のリモコンケースの断面図である。図１７および図１８は、図１４に示した本発明の第２実施形態によるリモコンケースの詳細構造を説明するための図である。図１４〜図１８を参照して、この第２実施形態では、上記第１実施形態とは異なるフック部５４の溝部５４ｂおよび下部ケース３の穴部５３を設けるとともに、第１実施形態とは異なるフック部５４の係合を解除する方法について説明する。なお、フック部５４に設けられた溝部５４ｂ、下部ケース３に設けられた穴部５３以外の構造は、上記の第１実施形態と同様であるのでその説明を省略する。
【００４１】
この第２実施形態によるリモコンケースでは、図１４〜図１６に示すように、下部ケース３の上部ケース２に設けられたフック部５４と対応する位置に、解除棒７が挿入される穴部５３が設けられている。この穴部５３の内径は、解除棒７が挿入された際に解除棒７がフック部５４が延びる方向と平行方向以外にも動くように、解除棒７の外径よりも少し大きい。なお、この第２実施形態では、上記第１実施形態のボス部３ａ（図２および図３参照）は設けられていない。また、上部ケース２に設けられたフック部５４には、図１７および図１８に示すように、フック部５４の係止部５４ｃと平行に設けられた当接部５４１ｂと、係止部５４ｃと垂直に設けられた当接部５４２ｂとからなる溝部５４ｂが設けられている。なお、当接部５４１ｂおよび当接部５４２ｂは、それぞれ、本発明の「第１当接部」および「第２当接部」の一例である。
【００４２】
図１９〜図２１は、図１４に示した本発明の第２実施形態によるリモコンケースの分解方法を説明するための断面図である。次に、図１９〜図２１を参照して、第２実施形態によるリモコンケースの上部ケース２と下部ケース３との分解方法について説明する。まず、図１９に示すように、解除棒７を、下部ケース３の外面側から穴部５３に、上部ケース２のフック部５４が延びる方向と平行方向である矢印Ｄ方向に挿入する。これにより、解除棒７は、フック部５４の先端部５４ａに設けられた溝部５４ｂに嵌め込まれ、解除棒７の先端部が、フック部５４の溝部５４ｂの当接部５４１ｂと当接する。
【００４３】
次に、解除棒７の先端部を、図２０に示すように、矢印Ｅ１方向に曲げる。これにより、解除棒７の先端部の側面と当接するフック部５４の当接部５４２ｂが矢印Ｅ１方向に押圧されるので、フック部５４は、フック部５４と係合部５との係合が解除される方向である矢印Ｅ１方向に撓む。これにより、上部ケース２のフック部５４と、下部ケース３の係合部５との係合が解除された状態となる。
【００４４】
次に、図２１に示すように、係合が解除された状態を維持した状態で、解除棒７を矢印Ｆ方向に押圧する。これにより、フック部５４の当接部５４１ｂは、解除棒７の先端部に押圧されて、上部ケース２が下部ケース３から分離する方向である矢印Ｄ１方向に押し上げられる。そして、上部ケース２と下部ケース３とが分解される。
【００４５】
第２実施形態では、上記のように、フック部５４の先端部５４ａに設けた溝部５４ｂに、解除棒７がフック部５４の延びる方向に対して平行に穴部５３に挿入された際に、解除棒７の先端部が当接する当接部５４１ｂと、フック部５４と係合部５との係合が解除される方向である矢印Ｅ１方向に、解除棒７の先端部の側面と当接する当接部５４２ｂとを設け、解除棒７を、溝部５４ｂの当接部５４１ｂと当接させた後、溝部５４ｂの当接部５４２ｂをフック部５４の延びる方向に対して直交する方向である矢印Ｅ１方向に押圧することで、フック部５４と係合部５との係合を解除するように構成することにより、解除棒７により当接部５４２ｂを矢印Ｅ１方向に押圧することによりフック部５４と係合部５との係合を解除した状態で、解除棒７により当接部５４１ｂを押圧することによって、上部ケース２を下部ケース３から分離する方向である矢印Ｄ１方向に押圧することができるので、上部ケース２と下部ケース３とを容易に分解することができる。
【００４６】
なお、第２実施形態では、上記第１実施形態と同様、フック部５４の先端部５４ａに、解除棒７と係合する溝部５４ｂを設けることにより、フック部５４が下部ケース３と約５ｍｍの距離離れていても、解除棒７、フック部５４の溝部５４ｂに嵌め込んでフック部５４を確実に押圧することができるので、フック部５４と係合部５との係合を確実に解除することができる。
【００４７】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４８】
たとえば、上記第１および第２実施形態では、フック部の先端部に解除棒を嵌め込み可能な溝部を設けた例を示したが、本発明はこれに限らず、解除棒の先端がフック部に容易に当接してフック部を押圧することができれば、溝部以外の構造をフック部に設けてもよい。たとえば、フック部の先端部に突出部を設けて、その突出部に解除棒の先端を当接させてフック部を押圧するようにしてもよい。
【００４９】
また、上記第１実施形態では、フック部の溝部の内面に、解除棒によりフック部の延びる方向に対して実質的に平行に押圧されることによりフック部の係合を解除する方向の分力を発生することが可能な傾斜した形状の当接部（底面部）を設けたが、本発明はこれに限らず、解除棒によりフック部の延びる方向に対して実質的に平行に押圧されることにより、フック部の係合を解除する方向の分力を発生することが可能な形状であれば、傾斜形状以外の形状を有する当接部をフック部に設けてもよい。
【００５０】
また、上記第１実施形態では、下部ケースに穴部を有するボス部を設けた例を示したが、本発明はこれに限らず、上記第１実施形態においてボス部を設けることなく、穴部のみ設けるようにしてもよい。
【００５１】
また、上記第１実施形態では、解除棒をフック部が延びる方向と平行方向である矢印Ｄ方向に穴部に挿入するとともに、同じ方向にフック部を押圧する例を示したが、本発明はこれに限らず、解除棒の挿入および押圧方向は、フック部が延びる方向と実質的に平行であればよく、完全に平行である必要はない。
【図面の簡単な説明】
【００５２】
【図１】本発明の第１実施形態によるリモコンケースの全体斜視図である。
【図２】図１に示した本発明の第１実施形態によるリモコンケースの分解斜視図である。
【図３】図２のＡ部の拡大斜視図である。
【図４】図１に示した本発明の第１実施形態によるリモコンケースの平面図である。
【図５】図４の３００−３００線に沿った断面図である。
【図６】図１に示した本発明の第１実施形態によるリモコンケースの下面側の平面図である。
【図７】図１に示した本発明の第１実施形態によるリモコンケースのフック部の斜視図である。
【図８】図１に示した本発明の第１実施形態によるリモコンケースのフック部の正面図である。
【図９】図１に示した本発明の第１実施形態によるリモコンケースのフック部の側面図である。
【図１０】図１に示した本発明の第１実施形態によるリモコンケースの分解方法を説明するための断面図である。
【図１１】図１に示した本発明の第１実施形態によるリモコンケースの分解方法を説明するための断面図である。
【図１２】図１に示した本発明の第１実施形態によるリモコンケースの分解方法を説明するための断面図である。
【図１３】図１に示した本発明の第１実施形態によるリモコンケースの分解方法を説明するための断面図である。
【図１４】本発明の第２実施形態によるリモコンケースの分解斜視図である。
【図１５】図１４のＢ部の拡大斜視図である。
【図１６】図４に示した３００−３００線に沿った位置と同じ位置での第２実施形態のリモコンケースの断面図である。
【図１７】図１４に示した本発明の第２実施形態によるリモコンケースのフック部の斜視図である。
【図１８】図１４に示した本発明の第２実施形態によるリモコンケースのフック部の側面図である。
【図１９】図１４に示した本発明の第２実施形態によるリモコンケースの分解方法を説明するための断面図である。
【図２０】図１４に示した本発明の第２実施形態によるリモコンケースの分解方法を説明するための断面図である。
【図２１】図１４に示した本発明の第２実施形態によるリモコンケースの分解方法を説明するための断面図である。
【図２２】従来知られている電子機器の筐体の全体斜視図である。
【図２３】図２２の２００−２００線に沿った断面図である。
【図２４】図２２の２００−２００線に沿った断面図である。
【符号の説明】
【００５３】
２      上部ケース（第１ケース部）
３      下部ケース（第２ケース部）
３ａ    ボス部（突出部）
３ｂ    穴部
４      フック部
４ａ    先端部
４ｂ    溝部
４ｃ    底面部（当接部）
５      係合部
７      解除棒
【図１】
2007005701.tif 000003
【図２】
2007005701.tif 000004
【図３】
2007005701.tif 000005
【図４】
2007005701.tif 000006
【図５】
2007005701.tif 000007
【図６】
2007005701.tif 000008
【図７】
2007005701.tif 000009
【図８】
2007005701.tif 000010
【図９】
2007005701.tif 000011
【図１０】
2007005701.tif 000012
【図１１】
2007005701.tif 000013
【図１２】
2007005701.tif 000014
【図１３】
2007005701.tif 000015
【図１４】
2007005701.tif 000016
【図１５】
2007005701.tif 000017
【図１６】
2007005701.tif 000018
【図１７】
2007005701.tif 000019
【図１８】
2007005701.tif 000020
【図１９】
2007005701.tif 000021
【図２０】
2007005701.tif 000022
【図２１】
2007005701.tif 000023
【図２２】
2007005701.tif 000024
【図２３】
2007005701.tif 000025
【図２４】
2007005701.tif 000026